【手続補正書】
【提出日】平成28年10月28日(2016.10.28)
【手続補正１】
【補正対象書類名】特許請求の範囲
【補正対象項目名】全文
【補正方法】変更
【補正の内容】
【特許請求の範囲】
【請求項１】
ガスタービンシステムであって、
１又は２以上の命令セットをまとめて格納する１又は２以上の有形の非一時的機械可読媒体と、
前記１又は２以上の命令セットを実行するように構成された１又は２以上のプロセッシングデバイスであって、
前記ガスタービンシステムのタービン燃焼器における燃焼に使用される燃料に関する燃料組成情報を受け取り、
前記ガスタービンシステムのタービン燃焼器における燃焼に使用される酸化剤に関する酸化剤組成情報を受け取り、
前記タービン燃焼器への前記酸化剤の流れに関する酸化剤流れ情報を受け取り、
少なくとも前記燃料組成情報及び前記酸化剤組成情報に基づいて量論的燃料／酸化剤比（ＦＯＲST）を決定し、
前記酸化剤流れ情報、目標当量比、及びＦＯＲSTを用いて前記タービン燃焼器への燃料の流れを制御して、排気ガス希釈剤の存在下で前記目標当量比での燃焼を可能にするよう構成された燃料流れ制御システムへの入力のための制御信号を生成する、ように構成された１又は２以上のプロセッシングデバイスと、を有するコントローラと、
前記ガスタービンシステムのシャフトによって駆動され、前記タービン燃焼器からの燃焼生成物から生成された前記排気ガスだけを受けて圧縮し、前記排気ガス希釈剤を前記タービン燃焼器に向ける排気ガス圧縮機と、を備えている、
ことを特徴とするガスタービンシステム。
【請求項２】
前記タービン燃焼器に前記酸化剤の流れを搬送するよう構成された酸化剤流路と、
前記酸化剤流路に沿って配置された酸素センサと、を備え、
前記酸素センサが、前記コントローラに通信可能に接続され、前記酸素センサが、前記酸化剤組成情報を決定するよう構成されている、
請求項１に記載のガスタービンシステム。
【請求項３】
前記酸化剤流路に沿って配置された酸化剤流量計を備え、前記酸化剤流量計が、前記コントローラに通信可能に接続され、前記酸化剤流量計が、前記酸化剤流れ情報を決定するよう構成されている、
請求項２に記載のガスタービンシステム。
【請求項４】
前記タービン燃焼器に前記燃料の流れを搬送するよう構成された燃料流路と、
前記燃料流路から前記燃料のスリップストリームを受け取るよう構成された燃料分析システムと、を備え、
前記燃料分析システムが、前記コントローラに通信可能に接続され、前記燃料分析システムが、前記燃料組成情報を決定するよう構成されている、
請求項１に記載のガスタービンシステム。
【請求項５】
前記１又は２以上のプロセッシングデバイスが、前記１又は２以上の命令セットを実行して、前記ＦＯＲST及び前記目標当量比を用いて基準燃料−酸化剤比（ＦＯＲREF）を決定し、前記ＦＯＲREFを使用してフィードフォワード成分を生成するよう構成され、
前記フィードフォワード成分が、前記タービン燃焼器への前記燃料の流れのベースライン流量を確立するよう構成され、前記１又は２以上の命令セットの実行を介して、前記酸化剤流れ情報とＦＯＲREFを乗算することによって生成される、
請求項４に記載のガスタービンシステム。
【請求項６】
前記燃料流れ制御システムが、少なくとも１つの燃料流れ制御バルブを含み、該少なくとも１つの燃料流れ制御バルブの位置が、前記制御信号に応答して調整される、
請求項５に記載のガスタービンシステム。
【請求項７】
前記タービン燃焼器内での前記燃料及び酸化剤の燃焼によって生成された燃焼生成物から生じる排気ガスを流すよう構成された排気ガス流路を備え、前記排気ガス流路が、
前記燃焼生成物から仕事を抽出して前記ガスタービンシステムのシャフトを駆動するよう構成されたタービンと、
排気ガス圧縮機と、
前記タービンと前記排気ガス圧縮機との間で前記排気ガス流路に沿って配置され、前記コントローラに通信可能に接続され、前記排気ガスに関する排気ガス組成情報を決定するよう構成されている１又は２以上の排気ガスセンサと、を有し、
前記１又は２以上のプロセッシングデバイスが、前記１又は２以上の命令セットを実行して、前記排気ガス組成情報及び前記目標当量比を用いてフィードバック成分を生成するよう構成され、前記フィードバック成分が、前記燃料流れ制御システムへの入力のための制御信号の少なくとも一部を含む、
請求項１に記載のガスタービンシステム。
【請求項８】
前記排気ガス組成情報が、前記排気ガスの酸素濃度、燃料濃度、燃料／酸化剤比、当量比、又はこれらの何れかの組み合わせを含む、
請求項７に記載のガスタービンシステム。
【請求項９】
前記フィードバック制御成分が、前記１又は２以上の命令セットの実行を介して、設定ポイントとして前記目標当量比とプロセス値として前記排気ガスの測定当量比とを用いて、比例積分（ＰＩ）制御アルゴリズム又は比例積分微分（ＰＩＤ）制御アルゴリズムを実施することにより生成される、
請求項７に記載のガスタービンシステム。
【請求項１０】
前記排気ガスの測定当量比が、１又は２以上の命令セットの実行を介して、前記排気ガス組成情報を、酸素レベル、一酸化炭素レベル、水素レベル、又はこれらの何れかの組み合わせを考慮したエミッションモデルと比較することにより生成される、
請求項９に記載のガスタービンシステム。
【請求項１１】
前記フィードバック成分が、前記タービン燃焼器への前記燃料の流量のドリフト及び変動を考慮するように前記タービン燃焼器への前記燃料の流れを調整するよう構成されている、
請求項７に記載のガスタービンシステム。
【請求項１２】
前記タービン燃焼器に結合され、前記排気ガス希釈剤の少なくとも一部を抽出した排気ガスとして前記タービン燃焼器から下流側プロセスに流すように構成された排気ガス抽出流路と、
前記排気ガス抽出流路に沿って配置され、前記コントローラに通信可能に接続され、前記タービン燃焼器からの抽出排気ガスに関する流れ情報を決定するよう構成された排気ガス抽出流量計と、
前記排気ガス抽出流路に沿って配置され、前記コントローラに通信可能に接続され、前記タービン燃焼器からの抽出排気ガスの量を少なくとも部分的に調整するよう構成された排気ガス抽出流れ制御バルブと、を備え、
前記タービン燃料器が、前記酸化剤、燃料および排気側希釈剤の流れを受けるように構成されている、
請求項１に記載のガスタービンシステム。
【請求項１３】
ガスタービンシステムであって、
排気ガス希釈剤の存在下で目標当量比にて燃料及び酸化剤を燃焼させて燃焼生成物を生成するよう構成されたタービン燃焼器と、
前記タービン燃焼器に酸化剤流量にて前記酸化剤を搬送するよう構成された酸化剤流路と、
前記タービン燃焼器に燃料流量にて前記燃料を搬送するよう構成され、１又は２以上の制御信号に応じて前記燃料流量を調整するよう構成された燃料流れ制御システムを含む燃料流路と、
前記ガスタービンシステムのシャフトによって駆動され、前記燃焼生成物から生成された前記排気ガスだけを受けて圧縮し、前記排気ガス希釈剤を前記タービン燃焼器に向ける排気ガス圧縮機と、
前記燃料流れ制御システムに通信可能に結合されたコントローラと、を備え、前記コントローラが、
１又は２以上の命令セットをまとめて格納する１又は２以上の有形の非一時的機械可読媒体と、
前記１又は２以上の命令セットを実行して、前記燃料流れ制御システムに前記１又は２以上の制御信号を提供するよう構成された１又は２以上のプロセッシングデバイスと、を有し、
前記１又は２以上の制御信号が、前記タービン燃焼器への燃料流量を制御して、前記タービン燃焼器における前記目標当量比での燃焼を可能にし、前記１又は２以上の制御信号が、フィードバック成分及びフィードフォワード成分を含む、
ことを特徴とするガスタービンシステム。
【請求項１４】
前記１又は２以上のプロセッシングデバイスが、以下により、前記１又は２以上の命令セットを実行しフィードフォワード成分するものであり、
前記酸化剤に関する酸化剤組成情報及び前記燃料に関する燃料組成情報に基づいて量論的燃料／酸化剤比（ＦＯＲST）を決定し、
前記ＦＯＲST及び前記目標当量比に基づいて基準燃料／酸化剤比（ＦＯＲREF）を決定し、
前記ＦＯＲREF及び前記酸化剤流量を用いて前記フィードフォワード成分を生成する、ことによって前記フィードフォワード成分を生成するよう構成されている、
請求項１３に記載のガスタービンシステム。
【請求項１５】
前記タービン燃焼器内で生成された燃焼生成物から生じる排気ガスを流すよう構成された排気ガス流路を備え、前記排気ガス流路が、
前記燃焼生成物から仕事を抽出して前記ガスタービンシステムのシャフトを駆動し且つ前記排気ガスを発生させるよう構成されたタービンと、
排気ガス圧縮機と、
前記タービンと前記排気ガス圧縮機との間で前記排気ガス流路に沿って配置され、前記コントローラに通信可能に接続され前記排気ガスに関する排気ガス組成情報を決定するよう構成されている１又は２以上の排気ガスセンサと、を有し、
前記１又は２以上のプロセッシングデバイスが、前記１又は２以上の命令セットを実行して、前記排気ガス組成情報から前記排気ガスの測定した当量比を決定する、
請求項１３に記載のガスタービンシステム。
【請求項１６】
前記排気ガス希釈剤の測定当量比が、１又は２以上の命令セットの実行を介して、前記排気ガス組成情報を、酸素レベル、一酸化炭素レベル、水素レベル、又はこれらの何れかの組み合わせを考慮したエミッションモデルと比較することにより生成される、
請求項１５に記載のガスタービンシステム。
【請求項１７】
前記フィードバック成分が、前記燃料流量のドリフト及び変動を考慮するように前記タービン燃焼器への前記燃料の流れを調整するよう構成されている、
請求項１５に記載のガスタービンシステム。
【請求項１８】
前記タービン燃焼器に結合され、前記排気ガスの少なくとも一部を抽出した排気ガスとして前記タービン燃焼器から下流側プロセスに流すように構成された排気ガス抽出流路を備える、
請求項１３に記載のガスタービンシステム。
【請求項１９】
前記排気ガス抽出流路に沿って配置され、前記コントローラに通信可能に接続され、前記タービン燃焼器からの抽出排気ガスに関する流れ情報を決定するよう構成された排気ガス抽出流量計と、
前記排気ガス抽出流路に沿って配置され、前記コントローラに通信可能に接続され、前記タービン燃焼器からの抽出排気ガスの量を少なくとも部分的に調整するよう構成された排気ガス抽出流れ制御バルブと、を備えている、
請求項１８に記載のガスタービンシステム。